【手続補正書】
【提出日】平成30年2月23日(2018.2.23)
【手続補正１】
【補正対象書類名】特許請求の範囲
【補正対象項目名】全文
【補正方法】変更
【補正の内容】
【特許請求の範囲】
【請求項１】
ビデオ情報をコーディングする方法であって、
コンピュータハードウェアを備える1つまたは複数のコンピューティングデバイスを使用して、
参照レイヤを含む複数のレイヤと関連付けられるビデオデータを記憶するステップであって、メモリが各レイヤと関連付けられる復号ピクチャバッファ(DPB)を備える、ステップと、
前記参照レイヤから、コーディングされる現在のアクセスユニット(AU)内のイントラランダムアクセスポイント(IRAP)ピクチャを取得するステップと、
前記参照レイヤIRAPピクチャが新たなビデオパラメータセットVPSを起動するかどうか、または、前記参照レイヤIRAPピクチャが1の値を有するNoClrasOutputFlagに関連付けられるかどうかを判定するステップであって、前記NoClrasOutputFlagは、クロスレイヤランダムアクセススキップ, CL-RAS, ピクチャが出力されるべきかどうかを示す、ステップと、
前記参照レイヤIRAPピクチャが新たなビデオパラメータセットVPSを起動し、前記参照レイヤIRAPピクチャが1の値を有するNoClrasOutputFlagに関連付けられると判定したことに応答して、前記複数のレイヤの各々に関連付けられた前記DPB内のピクチャを除去するステップ、または、
前記参照レイヤIRAPピクチャが新たなビデオパラメータセットVPSを起動せず、前記参照レイヤIRAPピクチャが1の値を有するNoClrasOutputFlagに関連付けられないと判定したことに応答して、前記参照レイヤに関連付けられた前記DPB内のピクチャのみを除去するステップと、
を含む、方法。
【請求項２】
前記参照レイヤがベースレイヤである、請求項1に記載の方法。
【請求項３】
前記参照レイヤが、前記複数のレイヤのうちのベースレイヤ以外の最下位レイヤであり、前記最下位レイヤから、前記現在のAUがピクチャを含み、前記現在のAUが前記ベースレイヤ中のピクチャを含まない、請求項1に記載の方法。
【請求項４】
DPB中のピクチャを出力するかどうかを示す第1のフラグの値を決定するステップをさらに備え、前記決定が、ベースレイヤである前記参照レイヤ中のピクチャだけのために実行される、請求項1に記載の方法。
【請求項５】
DPB中のピクチャを出力するかどうかを示す第1のフラグの値を決定するステップをさらに備え、前記決定が、前記複数のレイヤのうちの独立レイヤ中のピクチャに対して実行されるが、前記複数のレイヤのうちの従属レイヤ中のピクチャに対しては実行されない、請求項1に記載の方法。
【請求項６】
前記参照レイヤIRAPピクチャが新たなCVSを開始し、前記現在のAUでの予測境界を定義すると判定したことに応答して、
DPB中のピクチャを出力するかどうかを示す第1のフラグの値を決定するステップであって、前記第1のフラグは前記参照IRAPピクチャに関連付けられる、ステップと、
DPB中のピクチャが出力されるべきことを示す前記第1のフラグの前記値を決定したことに応答して、前記現在のAUに先行するピクチャを、前記複数のレイヤに関連付けられた前記DPB中で降順で出力するステップと、
前記現在のAUに先行する前記ピクチャを、前記複数のレイヤに関連付けられた前記DPB中で降順で除去するステップと、
をさらに含む、請求項1に記載の方法。
【請求項７】
DPB中のピクチャを出力するかどうかを示す第1のフラグの値を決定するステップであって、前記第1のフラグは前記参照IRAPピクチャに関連付けられる、ステップと、
DPB中のピクチャが出力されるべきことを示す前記第1のフラグの前記値を決定し、前記参照レイヤIRAPピクチャが新たなCVSを開始したと判定たことに応答して、前記参照レイヤIRAPピクチャに先行するピクチャを出力するステップと、
をさらに含む、請求項1に記載の方法。
【請求項８】
前記1つまたは複数のコンピューティングデバイスが、出力順序に従うデコーダを含む、請求項1に記載の方法。
【請求項９】
DPB中のピクチャを出力するかどうかを示す、前記参照レイヤIRAPピクチャと関連付けられる第1のフラグの値に基づいて、前記複数のレイヤと関連付けられる前記DPBにおいて除去されるべきピクチャを出力するステップをさらに備える、請求項1に記載の方法。
【請求項１０】
DPB中のピクチャが出力されるべきであることを前記第1のフラグの前記値が示すと決定したことに応答して、除去されるべき前記ピクチャを除去する前に、前記複数のレイヤと関連付けられる前記DPB中の除去されるべき前記ピクチャを出力するステップをさらに備える、請求項1に記載の方法。
【請求項１１】
前記第1のフラグがNoOutputOfPriorPicsFlagである、請求項1に記載の方法。
【請求項１２】
コンピュータハードウェアを備えるプロセッサ上で実行されると、前記プロセッサに、請求項1乃至11の何れか1項に記載の方法を実施させる命令を含む、コンピュータ可読記憶媒体。
【請求項１３】
ビデオ情報をコーディングする装置であって、
参照レイヤを含む複数のレイヤと関連付けられるビデオデータを記憶するための手段であって、メモリが各レイヤと関連付けられる復号ピクチャバッファ(DPB)を備える、手段と、
前記参照レイヤから、コーディングされる現在のアクセスユニット(AU)内のイントラランダムアクセスポイント(IRAP)ピクチャを取得するための手段と、
を備え、前記取得するための手段が、
前記参照レイヤIRAPピクチャが新たなビデオパラメータセットVPSを起動するかどうか、または、前記参照レイヤIRAPピクチャが1の値を有するNoClrasOutputFlagに関連付けられるかどうかを判定することであって、前記NoClrasOutputFlagは、クロスレイヤランダムアクセススキップ, CL-RAS, ピクチャが出力されるべきかどうかを示す、ことと、
前記参照レイヤIRAPピクチャが新たなビデオパラメータセットVPSを起動し、前記参照レイヤIRAPピクチャが1の値を有するNoClrasOutputFlagに関連付けられると判定したことに応答して、前記複数のレイヤの各々に関連付けられた前記DPB内のピクチャを除去すること、または、
前記参照レイヤIRAPピクチャが新たなビデオパラメータセットVPSを起動せず、前記参照レイヤIRAPピクチャが1の値を有するNoClrasOutputFlagに関連付けられないと判定したことに応答して、前記参照レイヤに関連付けられた前記DPB内のピクチャのみを除去することと、
を行うように構成される、装置。
【請求項１４】
前記IRAPピクチャを取得するための手段はさらに、DPB中のピクチャを出力するかどうかを示す、前記参照レイヤIRAPピクチャと関連付けられる第1のフラグの値に基づいて、前記複数のレイヤと関連付けられる前記DPBにおいて除去されるべきピクチャを出力するように構成される、請求項13に記載の装置。
【請求項１５】
前記IRAPピクチャを取得するための手段はさらに、DPB中のピクチャが出力されるべきであることを前記第1のフラグの前記値が示すと決定したことに応答して、除去されるべき前記ピクチャを除去する前に、前記複数のレイヤと関連付けられる前記DPB中の除去されるべき前記ピクチャを出力するように構成される、請求項13に記載の装置。